(57)【要約】【課題】給水ホースの接続作業が容易なタンク装置及びトイレ装置を提供すること。【解決手段】実施形態に係るタンク装置は、温水洗浄機能部を備えた水洗大便器が取り付けられる壁部の壁裏領域に配置されるタンク本体と、タンク本体における壁部側の面である前面に形成され、タンク本体の内部空間を外部と連通させる開口部と、内部空間を外部と連通させるとともに、温水洗浄機能部に接続されて壁部の貫通孔を介して壁裏領域に挿通された給水ホースが挿入される挿入口と、給水ホースをタンク本体の外部から内部空間へ導くガイド経路と、を備える。ガイド経路は、挿入口から内部空間に挿入された給水ホースを挿入口よりもタンク本体の前面側且つ左右中央側へ導くガイド面を有する。【選択図】図５
2020153161.tif 000002
【特許請求の範囲】
【請求項１】
温水洗浄機能部を備えた水洗大便器が取り付けられる壁部の壁裏領域に配置されるタンク本体と、
前記タンク本体における前記壁部側の面である前面に形成され、前記タンク本体の内部空間を外部と連通させる開口部と、
前記内部空間を外部と連通させるとともに、前記温水洗浄機能部に接続されて前記壁部の貫通孔を介して前記壁裏領域に挿通された給水ホースが挿入される挿入口と、
前記給水ホースを前記タンク本体の外部から前記内部空間へ導くガイド経路と、
を備え、
前記ガイド経路は、
前記挿入口から前記内部空間に挿入された前記給水ホースを前記挿入口よりも前記タンク本体の前記前面側且つ左右中央側へ導くガイド面を有する、タンク装置。
【請求項２】
前記挿入口は、
前記貫通孔よりも高い位置に設けられ、且つ、下向きに開口しており、
前記ガイド経路は、
前記タンク本体とは別体に形成され、前記挿入口と前記貫通孔とを接続する管状のタンク外経路部と、
前記タンク本体の内面に形成され、前記ガイド面を有するタンク内経路部と、
を有する、請求項１に記載のタンク装置。
【請求項３】
前記タンク内経路部は、
前記挿入口よりも高い位置から前記挿入口に向かって前記内面を流下する水を前記挿入口を避けて流下させて、前記開口部よりも下方に設けられる前記タンク本体の貯水部へ誘導する段部を有する、請求項２に記載のタンク装置。
【請求項４】
前記貯水部は、前記挿入口よりも下方に設けられ、
前記段部は、
前記挿入口よりも高い位置から前記貯水部に向かって下り傾斜する、請求項３に記載のタンク装置。
【請求項５】
前記タンク内経路部が形成される前記内面の少なくとも一部は、前記開口部が形成される前記前面とは反対側の面である、請求項２〜４のいずれか一つに記載のタンク装置。
【請求項６】
請求項１〜５のいずれか一つに記載のタンク装置と、
前記水洗大便器と、
を備える、トイレ装置。
【発明の詳細な説明】
【技術分野】
【０００１】
開示の実施形態は、タンク装置及びトイレ装置に関する。
【背景技術】
【０００２】
従来、壁部の壁裏領域に隠されるようにタンク本体が配置され、水洗大便器を洗浄するための水を貯水するタンク装置が知られている。水洗大便器は、人体局部に向けて水を吐水する温水洗浄機能部を備えており、タンク本体内に配置された給水弁装置等から給水ホースを介して温水洗浄機能部へ水が供給される。
【０００３】
給水ホースと給水弁装置等との接続作業は、たとえば、タンク本体の上部前面に形成された開口部を介して行われる。特許文献１には、壁裏領域に隠蔽される給水ホースをタンク本体の内部空間に効率よく導くためのガイド経路（いわゆる、さや管等）を備えたタンク装置が開示されている。
【先行技術文献】
【特許文献】
【０００４】
【特許文献１】国際公開第２０１３／０３７４８８号
【発明の概要】
【発明が解決しようとする課題】
【０００５】
しかしながら、タンク本体の内部上方空間には給水弁装置等を含めた各種の部品が配置される場合があり、これらの部品が邪魔になって給水ホースの接続作業がし難くなるおそれがある。このため、上述した技術を用いる場合であっても、給水ホースの接続作業の容易化の観点からは改善の余地がある。
【０００６】
実施形態の一態様は、上記に鑑みてなされたものであって、給水ホースの接続作業が容易なタンク装置及びトイレ装置を提供することを目的とする。
【課題を解決するための手段】
【０００７】
実施形態の一態様に係るタンク装置は、温水洗浄機能部を備えた水洗大便器が取り付けられる壁部の壁裏領域に配置されるタンク本体と、前記タンク本体における前記壁部側の面である前面に形成され、前記タンク本体の内部空間を外部と連通させる開口部と、前記内部空間を外部と連通させるとともに、前記温水洗浄機能部に接続されて前記壁部の貫通孔を介して前記壁裏領域に挿通された給水ホースが挿入される挿入口と、前記給水ホースを前記タンク本体の外部から前記内部空間へ導くガイド経路と、を備え、前記ガイド経路は、前記挿入口から前記内部空間に挿入された前記給水ホースを前記挿入口よりも前記タンク本体の前記前面側且つ左右中央側へ導くガイド面を有する。
【０００８】
かかる構成によれば、ガイド経路は、タンク本体の内部空間まで導かれた給水ホースを、開口部が形成されたタンク本体の前面側且つ左右中央側へ導くガイド面を有するため、たとえば開口部から手を入れて給水ホースを引き出しやすい場所まで給水ホースを導くことができる。したがって、給水ホースの接続作業が容易となる。
【０００９】
また、前記挿入口は、前記貫通孔よりも高い位置に設けられ、且つ、下向きに開口しており、前記ガイド経路は、前記タンク本体とは別体に形成され、前記挿入口と前記貫通孔とを接続する管状のタンク外経路部と、前記タンク本体の内面に形成され、前記ガイド面を有するタンク内経路部と、を有する。
【００１０】
かかる構成によれば、タンク外経路部とタンク内経路部とが一体形成される場合と比べ、タンク本体の内部空間に挿入したタンク外経路（たとえば、さや管など）をタンク本体内で無理に曲げてタンク内経路部分を形成したり、湾曲させたタンク外経路をタンク本体の内部空間に挿入したりすることを要しない。このため、給水ホースのタンク本体の内部空間への導入作業を容易に行うことができる。したがって、給水ホースの接続作業が容易となる。
【００１１】
また、前記タンク内経路部は、前記挿入口よりも高い位置から前記挿入口に向かって前記内面を流下する水を前記挿入口を避けて流下させて、前記開口部よりも下方に設けられる前記タンク本体の貯水部へ誘導する段部を有する。
【００１２】
かかる構成によれば、挿入口に向かってタンク本体の内面を流下する結露水等の水が挿入口からタンク本体の外部に流出することを抑制することができる。
【００１３】
また、前記貯水部は、前記挿入口よりも下方に設けられ、前記段部は、前記挿入口よりも高い位置から前記貯水部に向かって下り傾斜する。
【００１４】
かかる構成によれば、段部に到達した結露水等をスムーズに貯水部へ誘導することができる。
【００１５】
また、前記タンク内経路部が形成される前記内面の少なくとも一部は、前記開口部が形成される前記前面とは反対側の面である。
【００１６】
かかる構成によれば、開口部が形成されるタンク本体の前面とは反対側の面、すなわち、後面側に給水ホースが配置されるため、給水ホースよりも開口部に近い位置、すなわち、開口部からアプローチしやすい位置に、メンテナンス作業を要する機能部品等の収容スペースを確保することができる。したがって、給水ホースの接続作業が容易となるとともに、接続作業完了後に、他の機能部品等のメンテナンス作業等も容易に行えるようになる。
【発明の効果】
【００１７】
実施形態の一態様によれば、給水ホースの接続作業が容易なタンク装置及びトイレ装置を提供することができる。
【図面の簡単な説明】
【００１８】
【図１】図１は、実施形態に係るトイレ装置の概略斜視図である。
【図２】図２は、実施形態に係るタンク装置の概略背面図である。
【図３】図３は、実施形態に係るタンク装置の概略拡大正面図（その１）である。
【図４】図４は、実施形態に係るタンク装置の概略拡大正面図（その２）である。
【図５】図５は、実施形態に係るタンク装置の概略拡大正面図（その３）である。
【図６】図６は、実施形態に係るタンク装置の概略左側面図である。
【図７】図７は、実施形態に係るタンク装置の概略斜視図である。
【発明を実施するための形態】
【００１９】
以下、添付図面を参照して、本願の開示するタンク装置及びトイレ装置の実施形態を詳細に説明する。なお、以下に示す実施形態によりこの発明が限定されるものではない。
【００２０】
＜トイレ装置の全体構成＞
まず、図１を参照して実施形態に係るトイレ装置の全体構成について説明する。図１は、実施形態に係るトイレ装置の概略斜視図である。
【００２１】
なお、図１において、説明を分かりやすくするために、鉛直上向きを正方向とするＺ軸を含む３次元の直交座標系を図示している。かかる直交座標系は、他の図においても図示している場合がある。
【００２２】
また、かかる直交座標系は、Ｙ軸の正方向視を正面と規定し、Ｘ軸の正方向視を左側面、Ｘの負方向視を右側面、Ｚ軸の負方向視を平面（「上面」ともいう）と規定している。このため、以下の説明では、Ｘ軸方向を左右方向、Ｙ軸方向を前後方向、Ｚ軸方向を上下方向という場合がある。
【００２３】
図１に示す実施形態に係るタンク装置１は、トイレ装置Ｔの壁掛式の水洗大便器２を洗浄する水を貯留するとともに、貯留した水を水洗大便器２に供給する。タンク装置１の左右両側は、トイレ装置Ｔの水洗大便器２の後端部を壁部Ｗ１を介して壁裏側から固定する固定装置（図示省略）によって固定されている。なお、実施形態に係るタンク装置１は、壁掛式の水洗大便器２に限られず、床置き式の水洗大便器にも適用することができる。
【００２４】
タンク装置１は、壁部Ｗ１の壁裏領域に隠されるように配置されるタンク本体１０を備えている。なお、壁裏領域とは、水洗大便器２が配置される壁部Ｗ１の壁表領域に対して壁部Ｗ１を挟んで反対側に位置し、壁部Ｗ１によって隠蔽される領域のことである。タンク本体１０は、たとえば、重力を利用して水洗大便器２の便器本体２０に水を供給する重力給水式である。タンク装置１は、壁部Ｗ１の壁裏領域に配置されるため、タンク本体１０内の奥行方向（Ｙ軸方向）におけるスペースが小さく限られている。
【００２５】
タンク本体１０の上部前面には、取付後のメンテナンス等を行うことができる開口部３が形成されている。タンク装置１が使用されている場合において、開口部３には、パネル状部材４が取り付けられており、これにより、開口部３は塞がれた状態となっている。
【００２６】
また、タンク本体１０は、詳細については後述するが、ガイド経路１１を更に備えており、ガイド経路１１は、タンク外経路部１１１と、タンク内経路部１１２（図５参照）とを有している。
【００２７】
水洗大便器２は、温水洗浄機能部２１を備えている。温水洗浄機能部２１には、給水ホース５（図３参照）の一端部が接続される。給水ホース５の他端部は、タンク本体１０の内部空間に配置された給水弁装置１２（図４参照）等に接続される。給水弁装置１２等は、タンク本体１０の内部空間に貯留された水を給水ホース５を介して温水洗浄機能部２１に供給する。温水洗浄機能部２１に供給された水は、たとえば、温水洗浄機能部２１が備える局部洗浄ノズルから人体局部に向けて吐水される。なお、給水弁装置１２等は、タンク本体１０の内部空間のうち、水が貯留される空間（後述する貯水部１０ｂ）よりも上方の空間に配置される。以下、この空間を内部上方空間と呼ぶ場合がある。
【００２８】
図２を参照して実施形態に係るタンク装置１の概要について説明する。図２は、実施形態に係るタンク装置１の概略背面図である。なお、図２には、給水ホース５の配置を破線で示している。
【００２９】
図２に示すように、タンク本体１０は、下向きに開口する挿入口１０ａを備えている。壁部Ｗ１の下部には、開口部３（図１参照）よりも下に位置するように、給水ホース５を挿通する貫通孔６が形成されており、挿入口１０ａは、貫通孔６よりも高い位置に配置される。また、挿入口１０ａは、開口部３よりも左右端側（図示の例では、Ｘ軸負方向側）に配置され、開口部３よりも後面側（図示の例では、Ｙ軸正方向側）に配置される。
【００３０】
ガイド経路１１は、タンク本体１０とは別体に形成された管状のタンク外経路部１１１を備えており、挿入口１０ａと貫通孔６とはタンク外経路部１１１によって接続される。なお、タンク外経路部１１１としては、可撓性を有しない（あるいは可撓性がない）部材によって形成される。給水ホース５は、貫通孔６を介してタンク外経路部１１１の内部に挿通される。タンク外経路部１１１の内部に挿通されることによって壁裏領域に挿通された給水ホース５は、タンク外経路部１１１の内部を通って挿入口１０ａまで到達することで、タンク本体１０の内部上方空間に導かれる。
【００３１】
次に、図３〜図５を参照して実施形態に係るタンク装置１について詳細に説明する。図３〜図５は、実施形態に係るタンク装置１の概略拡大正面図である。なお、図３には、タンク本体１０からパネル状部材４が取り外された状態を示している。また、図４および図５には、タンク本体１０を断面にて示すとともに、開口部３の位置を破線で示している。
【００３２】
図３および図４に示すように、タンク本体１０は、給水弁装置１２と、機能部品１３とを備える。これら給水弁装置１２および機能部品１３は、タンク本体１０の内部上方空間に配置される。また、タンク本体１０は、貯水部１０ｂを挿入口１０ａよりも下方の内部空間に有している。給水弁装置１２には、たとえば、タンク本体１０の外部の給水源等（図示せず）から水を供給する給水管（図示せず）が接続されている。また、給水弁装置１２には、タンク本体１０の内部上方空間に挿通された給水ホース５の他端部が接続される。
【００３３】
機能部品１３は、たとえば、タンク本体１０から水洗大便器２に水を自動で供給する自動便器洗浄ユニットなどである。なお、図示していないが、タンク本体１０の内部には、自動便器洗浄ユニットの他に、たとえば、貯水部１０ｂに貯留された水を便器本体２０（図１参照）へ排出するための排出弁機構など、様々な機能部品が配置されている。
【００３４】
タンク本体１０からパネル状部材４が取り外されると、開口部３は、タンク本体１０の内部上方空間をタンク本体１０の外部（前方）へ開放するように開口する。
【００３５】
これにより、作業者は、開口部３を介して給水ホース５を給水弁装置１２等に接続する作業を行うことが出来る。また、タンク本体１０の内部上方空間に配置される機能部品１３等のメンテナンス等も開口部３を介して行うことが出来る。
【００３６】
次に、図５を参照してガイド経路１１について説明する。なお、図５には、機能部品１３等がタンク本体１０の内部に配置されていない状態を示している。また、タンク外経路部１１１の位置を点線で示している。
【００３７】
図５に示すように、ガイド経路１１は、タンク外経路部１１１と、タンク内経路部１１２とを有している。タンク内経路部１１２は、タンク本体１０の内面に形成されており、挿入口１０ａからタンク本体１０の内部上方空間へ延伸するように形成されている。また、タンク内経路部１１２は、段部１１２ａ（図６参照）を有している。タンク外経路部１１１は、挿入口１０ａを介してタンク本体１０の内部に僅かに挿入されている。
【００３８】
ガイド経路１１のタンク外経路部１１１は、貫通孔６（図２参照）に挿通された給水ホース５が内側を通過することが出来るようになっており、給水ホース５は、タンク外経路部１１１の内側に沿って挿通されていき、挿入口１０ａまで到達する。このように、ガイド経路１１のタンク外経路部１１１は、挿入口１０ａからタンク本体１０の内部空間に挿入された給水ホース５をタンク本体１０の内部上方空間まで導く。
【００３９】
ガイド経路１１のタンク内経路部１１２は、タンク本体１０の内部上方空間まで導かれた給水ホース５を挿入口１０ａよりもタンク本体１０の前面側且つ左右中央側へ導くガイド面を有している。なお、本実施形態においては、タンク内経路部１１２の内面全体でガイド面が形成されるが、これに限らず、例えば、タンク内経路部１１２の前半部分は、給水ホース５を真上に導く面とし、後半部分は、前面側且つ左右中央側へ導くガイド面としても良い。
【００４０】
挿入口１０ａまで到達し、タンク本体１０の内部上方空間まで導かれた給水ホース５は、タンク内経路部１１２に接触し、タンク内経路部１１２に沿って挿通されていく。これにより、給水ホース５は、タンク本体１０の後面側且つ左右端部に形成される挿入口１０ａよりもタンク本体１０の前面側且つ左右中央側へ導かれる。タンク内経路部１１２は、タンク本体１０における内部空間に臨む面である内面に形成される。
【００４１】
このように、実施形態に係るタンク装置１において、ガイド経路１１は、タンク本体１０の内部上方空間まで導かれた給水ホース５を、挿入口１０ａよりもタンク本体１０の前面側且つ左右中央側へ導く。開口部３は、タンク本体１０の前面側且つ左右中央側に形成されるため、開口部３から給水ホース５が引き出しやすく、給水ホース５の接続作業が容易となる。
【００４２】
また、ガイド経路１１は、タンク本体１０とは別体に形成されるタンク外経路部１１１と、タンク本体１０の内面に形成されるガイド面を有するタンク内経路部１１２とに分割されている。このため、タンク外経路部１１１とタンク内経路部１１２とが一体的に形成される場合と比較して、タンク本体の内部空間に挿入したタンク外経路部１１１をタンク本体１０内で無理に曲げてタンク内経路部１１２の部分を形成したり、湾曲させたタンク外経路１１１をタンク本体１０の内部空間に挿入したりすることを要しない。したがって、タンク本体１０内への給水ホース５の導入作業を容易に行うことができる。したがって、給水ホース５の接続作業が容易となる。
【００４３】
次に、図６を参照してガイド経路１１の配置について説明する。図６は、実施形態に係るタンク装置１の概略左側面図である。なお、図６には、タンク内経路部１１２の位置を破線で示している。
【００４４】
図６に示すように、タンク内経路部１１２の少なくとも一部は、タンク本体１０における後面、すなわち、開口部３が形成されるタンク本体１０の前面とは反対側の面に形成されている。これにより、給水ホース５の接続作業が完了した状態において、給水ホース５は、タンク本体１０内の後面側に配置される。
【００４５】
作業者が開口部３（図３参照）からタンク本体１０の内部上方空間にアプローチする際には、給水ホース５の前方側がアプローチしやすい。タンク装置１によれば、給水ホース５を後面側に配置することで、給水ホース５よりも開口部３に近い位置、すなわち、開口部３からアプローチしやすい位置に、メンテナンス作業を要する機能部品１３（図４参照）等の収容スペースを確保することができる。したがって、給水ホース５の接続作業が容易となるとともに、接続作業完了後に、機能部品１３等のメンテナンス作業等も容易に行えるようになる。
【００４６】
次に、図７を参照して段部１１２ａについて説明する。図７は、実施形態に係るタンク装置１の概略斜視図である。なお、図７には、タンク本体１０の前面部分が取り除かれた状態を示している。
【００４７】
図７に示すように、タンク内経路部１１２には、挿入口１０ａ側のタンク内経路部１１２の内面が飛び出すようにタンク内経路部１１２の一部を突出させた段部１１２ａが形成されている。
【００４８】
タンク内経路部１１２によって給水ホース５（図３参照）の接続作業が容易となる一方、タンク本体１０の内面に付着した結露水等がタンク内経路部１１２を伝って挿入口１０ａへ流下するおそれがある。
【００４９】
段部１１２ａは、挿入口１０ａよりも高い位置から挿入口１０ａに向かってタンク本体１０の内面を流下する水を挿入口１０ａを避けて流下させて、タンク本体１０の貯水部１０ｂへ誘導する段部１１２ａを有する。具体的には、段部１１２ａは、挿入口１０ａよりも高い位置から挿入口１０ａの左右に分岐しつつ貯水部１０ｂに向かって下り傾斜する。なお、実施形態において、挿入口１０ａは、タンク本体１０の後方の角部に設けられ、タンク内経路部１１２および段部１１２ａは、挿入口１０ａ周辺におけるタンク本体１０の後面や側面等に形成される。
【００５０】
次に、タンク本体１０の内面を流下する水の流れについて説明する。たとえば、結露水等の水がタンク本体１０の天面またはタンク内経路部１１２よりも高い位置の内面に付着しタンク内経路部１１２まで流下してきたとき、流下してきた水は、タンク内経路部１１２を伝って挿入口１０ａへと向けて流下する。しかしながら、タンク内経路部１１２を流下する水は、挿入口１０ａへ到達する前に、段部１１２ａによってせき止められ、左右に分岐してタンク本体１０の後方から前方に向かって流下する。そして、流下する水は、挿入口１０ａよりも前方まで誘導されて貯水部１０ｂに落下する。
【００５１】
これにより、挿入口１０ａに向けて内面を流下する結露水等の水が挿入口１０ａに到達し難くなることから、挿入口１０ａから水が流出することを抑制することができる。また、挿入口１０ａを塞ぐシール材等を必要としないため、コストの増加を抑制することができる。
【００５２】
また、挿入口１０ａよりも後方から挿入口１０ａよりも前方まで連続的に前方下がりに傾斜するため、流下する水が途中で留まること等を抑制することができ、段部１１２ａに到達した結露水等をスムーズに貯水部１０ｂへ誘導することができる。
【００５３】
なお、挿入口１０ａよりも低い位置まで連続的に前方下がりに傾斜することによっても水を貯水部１０ｂへ誘導することができ、挿入口１０ａよりも前方且つ低い位置まで連続的に傾斜することで、よりスムーズに貯水部１０ｂへ誘導することができる。
【００５４】
上述してきたように、実施形態に係るタンク装置１によれば、ガイド経路１１は、タンク本体１０の内部上方空間まで導かれた給水ホース５を、開口部３が形成されたタンク本体１０の前面側且つ左右中央側へ導く。これにより、開口部３から給水ホース５が引き出しやすく、給水ホース５の接続作業が容易なタンク装置１およびトイレ装置Ｔを提供することができる。
【００５５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５６】
Ｔ        トイレ装置
１        タンク装置
２        水洗大便器
３        開口部
４        パネル状部材
５        給水ホース
６        貫通孔
１０      タンク本体
１０ａ    挿入口
１１      ガイド経路
１１１    タンク外経路部
１１２    タンク内経路部（ガイド面）
１１２ａ  段部
１２      給水弁装置
１３      機能部品
２０      便器本体
２１      温水洗浄機能部
Ｗ１      壁部
【図１】
2020153161.tif 000003
【図２】
2020153161.tif 000004
【図３】
2020153161.tif 000005
【図４】
2020153161.tif 000006
【図５】
2020153161.tif 000007
【図６】
2020153161.tif 000008
【図７】
2020153161.tif 000009